(57)【要約】【課題】特性を変えることができる電源線インピーダンス安定化回路網を提供する。【解決手段】電源線インピーダンス安定化回路網１は、筐体１０２の構成面１０２ａに設けられた２つの同軸端子１０７、１０７と、これら同軸端子１０７、１０７に接続される２つのモジュール１０８とを備える。モジュール１０８は、同軸端子１０７に嵌合する同軸端子１０８ａと該同軸端子１０８ａに接続された固定抵抗などの固定インピーダンス素子１０８ｂを有する。【選択図】図１
2007225401.tif 000002
【特許請求の範囲】
【請求項１】
機器の電源線に伝導する伝導妨害波の測定に使用される電源線インピーダンス安定化回路網であって、
前記電源線インピーダンス安定化回路網の筐体内に導入された前記電源線と当該筐体に設けられた接地端子との間に着脱可能なインピーダンス素子または可変インピーダンス素子を備えることを特徴とする電源線インピーダンス安定化回路網。
【請求項２】
前記着脱可能なインピーダンス素子を交換することまたは前記可変インピーダンス素子のインピーダンスを変えることで前記機器側からみたコモンモードインピーダンスと不平衡減衰量の一方または両方が変化することを特徴とする請求項１記載の電源線インピーダンス安定化回路網。
【請求項３】
前記電源線と前記接地端子との間に同軸端子を接続し、該同軸端子に嵌合する同軸端子を前記着脱可能なインピーダンス素子に接続したことを特徴とする請求項１または２記載の電源線インピーダンス安定化回路網。
【発明の詳細な説明】
【技術分野】
【０００１】
本発明は、機器の電源線に伝導する伝導妨害波の測定に使用される電源線インピーダンス安定化回路網に関するものである。
【背景技術】
【０００２】
近年では、多くの電気・電子機器にインバータ制御方式の電源が用いられ、電源線にはインバータノイズが伝搬する。
【０００３】
このインバータノイズなどの伝導妨害波が伝搬する電源線には他の機器も接続されるので、その機器の誤動作を防止すべく、ＣＩＳＰＲ（国際無線障害特別委員会）等の国際標準化機関が伝導妨害波の値を許容値以下にする国際規格を定め、この国際規格により各国が法規制や自主規制を行っている。
【０００４】
また、この国際規格が定める伝導妨害波の測定方法では、測定場所等に依存しない、再現性の高い測定結果を得るべく、電源線インピーダンス安定化回路網の使用とその特性であるコモンモードインピーダンスと不平衡減衰量を規定している。電源線インピーダンス安定化回路網は、電源線のインピーダンスを安定化させるもので、擬似電源回路網（ＡＭＮ：Artificial mains network）、ＬＩＳＮ（Line Impedance Stabilization Network）とも称される。
【０００５】
図７は、従来の電源線インピーダンス安定化回路網２００とそれによる測定方法を示す。
【０００６】
電源線インピーダンス安定化回路網２００は、接地端子１０１を有する筐体１０２と、筐体１０２の構成面１０２ａに設けられた単相２線式のコンセント１０３と、コンセント１０３に接続され、筐体１０２内部を通り、筐体１０２外部に延出された２線の電源線１０４と、筐体１０２内で電源線１０４に挿入された低域通過フィルタ１０５と、電源線１０４における筐体１０２外部の部分の端部に設けられたプラグ１０６と、電源線１０４と接地端子１０１の間に接続された、そのインピーダンスが一定の２つの固定インピーダンス素子１０４ａ、１０４ａを備える。
【０００７】
電源線インピーダンス安定化回路網２００を使用した測定では、プラグ１０６を商用電源等に接続し、コンセント１０３に機器２０の電源線を接続した状態で、電流プローブなどにより、伝導妨害波の測定がなされる。
【非特許文献１】協立電子工業株式会社、ＰＬＣ用インピーダンス安定回路網 KNW−2241, [2006年2月3日検索],[online]インターネット<URL:http://www.kyoritsudenshi.co.jp/3products/3knw/knw2241.htm>
【非特許文献２】株式会社テクノサイエンスジャパン  EMC計測器  LISN 擬似電源回路網, [2006年2月3日検索],[online]インターネット<URL:http://tsjcorp.co.jp/product/emc/LISN/emc_LISN.htm>
【発明の開示】
【発明が解決しようとする課題】
【０００８】
ところで、最近では、機器の機能の多様化に伴い、多くの国際規格が策定され、そのため、国際規格ごとに規定された特性をもつ電源線インピーダンス安定化回路網を用意する必要がある。
【０００９】
複数の機能をもつ機器としては、ケーブルテレビシステムのセットトップボックスがある。このようなセットトップボックスの中には、ケーブルテレビの映像信号と音声信号を送受信する機能と、ケーブル上でインターネットアクセスを行うためのモデム機能を備えるものがあり、この場合、２つの機能に対応する国際規格ごとの電源線インピーダンス安定化回路網を用意する必要がある。
【００１０】
また、現在開発が進む高速電力線搬送通信を行う機器にあっては、その通信を行う場合と、行わない場合の２つの場合に対応する電源線インピーダンス安定化回路網が必要となる。
【００１１】
また、同じ国際規格であっても、技術革新や社会情勢の変化に伴い、改定される場合があり、そのときは、改訂前の国際規格に対応する電源線インピーダンス安定化回路網が使用できなくなる。
【００１２】
このように、電源線インピーダンス安定化回路網の特性が変えられないことで、多くの電源線インピーダンス安定化回路網の購入が必要になったり、せっかく購入した電源線インピーダンス安定化回路網が使用できなくなるので、伝導妨害波の測定費用が増加し、ひいては、これが機器の価格上昇の要因になる。
【００１３】
本発明は、上記従来の課題に鑑みなされたものであり、その目的とするところは、特性を変えることができる電源線インピーダンス安定化回路網を提供することにある。
【課題を解決するための手段】
【００１４】
上記の課題を解決するために、本発明の電源線インピーダンス安定化回路網は、筐体内に導入された電源線と筐体に設けられた接地端子との間に着脱可能なインピーダンス素子または可変インピーダンス素子を備えることで、コモンモードインピーダンスや不平衡減衰量特性などの特性を変えることができるようにしている。
【発明の効果】
【００１５】
本発明の電源線インピーダンス安定化回路網によれば、筐体内に導入された電源線と筐体に設けられた接地端子との間に着脱可能なインピーダンス素子または可変インピーダンス素子を備えることで、コモンモードインピーダンスや不平衡減衰量特性などの特性を変えることができる。それにより、多くの電源線インピーダンス安定化回路網の購入が不要で、また、購入した電源線インピーダンス安定化回路網を使用し続けることができ、よって、伝導妨害波の測定費用を低減し、機器の価格上昇を防止することができる。
【発明を実施するための最良の形態】
【００１６】
以下、本発明の実施の形態を図面を参照して説明する。
【００１７】
［第１の実施の形態］
図１は、第１の実施の形態に係る電源線インピーダンス安定化回路網１を示す。
【００１８】
電源線インピーダンス安定化回路網１は、接地端子１０１を有する筐体１０２と、筐体１０２の構成面１０２ａに設けられた単相２線式のコンセント１０３と、コンセント１０３に接続され、筐体１０２内部を通り、筐体１０２外部に延出された２線の電源線１０４と、筐体１０２内で電源線１０４に挿入された低域通過フィルタ１０５と、電源線１０４における筐体１０２外部の部分の端部に設けられたプラグ１０６と、構成面１０２ａに設けられた２つの同軸端子１０７、１０７と、これら同軸端子１０７、１０７に接続される２つのモジュール１０８とを備える。モジュール１０８は、同軸端子１０７に嵌合する同軸端子１０８ａと該同軸端子１０８ａに接続された固定抵抗などの固定インピーダンス素子１０８ｂを有する。同軸端子１０７や同軸端子１０８ａは、例えば、特性インピーダンス５０Ωのものである。
【００１９】
同軸端子１０７の軸部金属は電源線１０４の導体に、周囲部の金属は接地端子１０１にそれぞれ接続されている。同軸端子１０８ａの軸部金属と周囲部の金属との間には固定インピーダンス素子１０８ｂが接続されている。
【００２０】
また、電源線インピーダンス安定化回路網１では、インピーダンスの異なる固定インピーダンス素子１０８ｂを有するモジュール１０８が用意される。
【００２１】
図２は、電源線インピーダンス安定化回路網１の等価回路を示す。
【００２２】
図２のＺ１は、一方の固定インピーダンス素子１０８ｂのインピーダンスであり、Ｚ２は、他方の固定インピーダンス素子１０８ｂのインピーダンスである。
【００２３】
図３の式（１）は、電源線インピーダンス安定化回路網１のコモンモードインピーダンスＣＭＺ［Ω］を示す。図３の式（２）は、電源線インピーダンス安定化回路網１の不平衡減衰量ＬＣＬ［ｄＢ］を示す。なお、式（２）では、Ｚ０＝Ｚ１＋Ｚ２である。
【００２４】
これらの式から、インピーダンスＺ１またはＺ２を変化させれば、コモンモードインピーダンスＣＭＺや不平衡減衰量ＬＣＬが変化することがわかる。
【００２５】
次に、電源線インピーダンス安定化回路網１を用いた伝導妨害波の測定を説明する。
【００２６】
例えば、電源線インピーダンス安定化回路網１を高速電力線搬送通信用の電源線インピーダンス安定化回路網として使用する場合、コモンモードインピーダンスＣＭＺが２５Ω±２０％、不平衡減衰量ＬＣＬが１６ｄＢ±３ｄＢであることが要求される。このときは、インピーダンスが７０Ωの固定インピーダンス素子１０８ｂを有するモジュール１０８と、インピーダンスが３５Ωの固定インピーダンス素子１０８ｂを有するモジュール１０８とを用意し、これらの同軸端子１０８ａ、１０８ａを同軸端子１０７、１０７に嵌合させる。
【００２７】
つまり、図２のＺ１、Ｚ２を７０Ω、３５Ωにするのである。
【００２８】
図４（ａ）は、この際のコモンモードインピーダンスＣＭＺの周波数特性を測定した結果を示す。図４（ｂ）は、不平衡減衰量ＬＣＬの周波数特性を測定した結果を示す。
【００２９】
このように、コモンモードインピーダンスＣＭＺが２５Ω±２０％、不平衡減衰量ＬＣＬが１６ｄＢ±３ｄＢとなり、要求を満たしている。
【００３０】
そして、プラグ１０６を商用電源等に接続し、コンセント１０３に機器の電源線を接続した状態で、電流プローブなどにより、伝導妨害波の測定がなされる。
【００３１】
次に、異なるコモンモードインピーダンスＣＭＺや不平衡減衰量ＬＣＬの要求を満たした上で、伝導妨害波の測定を行う場合は、予め、インピーダンスが異なる固定インピーダンス素子１０８ｂを有する別のモジュール１０８、１０８を用意しておく。
【００３２】
そして、使用したモジュール１０８、１０８を同軸端子１０７、１０７から取り外し、用意した別のモジュール１０８、１０８の同軸端子１０８ａ、１０８ａを同軸端子１０７、１０７に嵌合させて取り付ける。
【００３３】
つまり、図２のＺ１、Ｚ２を、先ほどのインピーダンスとは異なるインピーダンスにするのである。これにより、異なるコモンモードインピーダンスＣＭＺや不平衡減衰量ＬＣＬの要求が満たされ、その状態で伝導妨害波の測定がなされる。
【００３４】
したがって、電源線１０４と接地端子１０１の間に接続される固定インピーダンス素子１０８ｂを備えるモジュール１０８を着脱可能としたことで、複数のモジュール１０８を用意し、その固定インピーダンス素子１０８ｂのインピーダンスを異ならせ、同軸端子１０７に接続し、適宜交換すれば、図５（ａ）、（ｂ）に示すように、Ｚ１やＺ２を変化させたときに、それに応じてコモンモードインピーダンスＣＭＺや不平衡減衰量ＬＣＬを変化させることができる。よって、要求の相違する伝導妨害波の測定を行うことができる。
【００３５】
つまり、電源線１０４と接地端子１０１の間の固定インピーダンス素子１０８ｂを着脱可能にしたので、要求の相違する伝導妨害波の測定を行うことができる。
【００３６】
また、場合によっては、以下の如く測定がなされる。
【００３７】
例えば、インピーダンスが５０Ωの固定インピーダンス素子１０８ｂを有するモジュール１０８を１つ用意する。
【００３８】
そして、このモジュール１０８の同軸端子１０８ａを一方の同軸端子１０７に嵌合させる。他方の同軸端子１０７には、それに嵌合する同軸端子を備える、入出力端の特性インピーダンスが５０Ωの測定器（不図示）を接続し、その測定器で、電源線１０４の一方の線に伝導する伝導妨害波の測定を行う。
【００３９】
次に、モジュール１０８と測定器を同軸端子１０７、１０７から取り外し、それらを交換するようにして、同軸端子１０７、１０７に接続し、その状態の測定器で、電源線１０４の他方の線に伝導する伝導妨害波の測定を行う。
【００４０】
したがって、モジュール１０８を着脱可能とするにあたり、同軸端子１０７とそれに嵌合する同軸端子１０８ａを用いたことで、モジュール１０８のみならず、同軸端子１０７に嵌合する同軸端子を有する測定器の着脱が可能となる。
【００４１】
ところで、このように測定器を接続する電源線を切り替えて測定する場合、電源線インピーダンス安定化回路網には、図７のような固定インピーダンス素子１０４ａを１つだけ設け、さらに、その固定インピーダンス素子１０４ａを接続する電源線を切り替えるとともに、測定器が接続される測定端子については逆に切り替える切り替えスイッチを設け、これにより、測定器を測定端子に接続したまま、切り替えスイッチを切り替えながら測定を行うのだが、第１の実施の形態では、この固定インピーダンス素子１０４ａと同じ目的の固定インピーダンス素子１０８ｂを備えるモジュール１０８を着脱可能としたので、この切り替えスイッチが不要となる。
【００４２】
［第２の実施の形態］
図６は、第２の実施の形態に係る電源線インピーダンス安定化回路網１Ａを示す。
【００４３】
電源線インピーダンス安定化回路網１Ａは、その構成の多くが電源線インピーダンス安定化回路網１のものと同じである。
【００４４】
異なっているのは、電源線インピーダンス安定化回路網１Ａのモジュール１０８が、固定インピーダンス素子１０８ｂでなく、そのインピーダンスを変えることができる可変抵抗などの可変インピーダンス素子１０８ｃを備えることである。
【００４５】
次に、電源線インピーダンス安定化回路網１Ａを用いた伝導妨害波の測定を説明する。
【００４６】
電源線インピーダンス安定化回路網１Ａを高速電力線搬送通信用の電源線インピーダンス安定化回路網として使用する場合は、コモンモードインピーダンスＣＭＺが２５Ω±２０％、不平衡減衰量ＬＣＬが１６ｄＢ±３ｄＢであることが要求されるので、モジュール１０８を２つ用意し、一方の可変インピーダンス素子１０８ｃのインピーダンスを７０Ωに設定し、他方の可変インピーダンス素子１０８ｃのインピーダンスを３５Ωに設定し、これらモジュール１０８の同軸端子１０８ａ、１０８ａを同軸端子１０７、１０７に嵌合させる。
【００４７】
つまり、図２のＺ１、Ｚ２を７０Ω、３５Ωにするのである。
【００４８】
これにより、図４（ａ）や図４（ｂ）に示したように、コモンモードインピーダンスＣＭＺが２５Ω±２０％、不平衡減衰量ＬＣＬが１６ｄＢ±３ｄＢとなり、要求を満たすこととなる。
【００４９】
そして、プラグ１０６を商用電源等に接続し、コンセント１０３に機器の電源線を接続した状態で伝導妨害波の測定がなされる。
【００５０】
次に、異なるコモンモードインピーダンスＣＭＺや不平衡減衰量ＬＣＬの要求を満たした上で、伝導妨害波の測定を行う場合は、例えば、各モジュール１０８を取り付けたままの状態で、一方または両方のモジュール１０８が備える可変インピーダンス素子１０８ｃのインピーダンスの設定を変更する。
【００５１】
つまり、図２のＺ１、Ｚ２を、先ほどのインピーダンスとは異なるインピーダンスにするのである。これにより、異なるコモンモードインピーダンスＣＭＺや不平衡減衰量ＬＣＬの要求が満たされ、その状態で伝導妨害波の測定がなされる。
【００５２】
したがって、電源線１０４と接地端子１０１の間にモジュール１０８を接続したことで、その可変インピーダンス素子１０８ｃのインピーダンスを適宜変えれば、図５（ａ）、（ｂ）に示すように、Ｚ１やＺ２を変化させたときに、それに応じてコモンモードインピーダンスＣＭＺや不平衡減衰量ＬＣＬを変化させることができる。よって、要求の相違する伝導妨害波の測定を行うことができる。
【００５３】
つまり、電源線１０４と接地端子１０１の間に可変インピーダンス素子１０８ｃを接続したので、要求の相違する伝導妨害波の測定を行うことができる。
【００５４】
次に、測定器を接続する電源線を切り替えて測定する場合について説明する。
【００５５】
この場合は、予め、モジュール１０８を１つ用意し、例えば、そのインピーダンスを５０Ωに設定する。
【００５６】
そして、このモジュール１０８の同軸端子１０８ａを一方の同軸端子１０７に嵌合させる。他方の同軸端子１０７には、前述したような測定器を接続し、その測定器で、電源線１０４の一方の線に伝導する伝導妨害波の測定を行う。
【００５７】
次に、モジュール１０８と測定器を同軸端子１０７、１０７から取り外し、それらを交換するようにして、同軸端子１０７、１０７に接続し、その状態の測定器で、電源線１０４の他方の線に伝導する伝導妨害波の測定を行う。
【００５８】
したがって、同軸端子１０７とそれに嵌合する同軸端子１０８ａを用いたことで、モジュール１０８のみならず、同軸端子１０７に嵌合する同軸端子を有する測定器の着脱が可能なので、上記のような切り替えスイッチが不要となる。
【００５９】
なお、第２の実施の形態では、測定器を接続する電源線を切り替える測定を行わない場合、可変インピーダンス素子１０８ｃは、着脱自在でなく、単に、インピーダンスの設定が変えられるものとしてもよい。
【００６０】
以上のように、第１、第２の実施の形態に係る電源線インピーダンス安定化回路網によれば、筐体内に導入された電源線と筐体に設けられた接地端子との間に着脱可能なインピーダンス素子または可変インピーダンス素子を備えることで、コモンモードインピーダンスや不平衡減衰量特性などの特性を変えることができる。それにより、多くの電源線インピーダンス安定化回路網の購入が不要で、また、購入した電源線インピーダンス安定化回路網を使用し続けることができ、よって、伝導妨害波の測定費用を低減し、機器の価格上昇を防止することができる。
【図面の簡単な説明】
【００６１】
【図１】第１の実施の形態に係る電源線インピーダンス安定化回路網１Ａの斜視図である。
【図２】電源線インピーダンス安定化回路網１の等価回路を示す図である。
【図３】図３の式（１）は、電源線インピーダンス安定化回路網１のコモンモードインピーダンスＣＭＺ［Ω］を示す図であり、図３の式（２）は、電源線インピーダンス安定化回路網１の不平衡減衰量ＬＣＬ［ｄＢ］を示す図である。
【図４】図４（ａ）は、コモンモードインピーダンスＣＭＺの周波数特性を測定した結果を示す図であり、図４（ｂ）は、不平衡減衰量ＬＣＬの周波数特性を測定した結果を示す図である。
【図５】図５（ａ）は、インピーダンスＺ１、Ｚ２に対するコモンモードインピーダンスＣＭＺの値を示す図であり、インピーダンスＺ１、Ｚ２に対する不平衡減衰量ＬＣＬの値を示す図であ。
【図６】第２の実施の形態に係る電源線インピーダンス安定化回路網１Ａを示す斜視図である。
【図７】従来の電源線インピーダンス安定化回路網２００とそれによる測定方法を示す図である。
【符号の説明】
【００６２】
１、１Ａ…電源線インピーダンス安定化回路網
２０…機器
１０１…接地端子
１０２…筐体
１０４…電源線
１０４ａ…固定インピーダンス素子
１０７、１０８ａ…同軸端子
１０８…モジュール
１０８ｂ…固定インピーダンス素子
１０８ｃ…可変インピーダンス素子
【図１】
2007225401.tif 000003
【図２】
2007225401.tif 000004
【図３】
2007225401.tif 000005
【図４】
2007225401.tif 000006
【図５】
2007225401.tif 000007
【図６】
2007225401.tif 000008
【図７】
2007225401.tif 000009